(57)【要約】【構成】  本発明の子供に対して安全なロール／プレス式ライターは少なくとも一つの当接面（３２；４１；４５）を有し、この当接面がレバー（２０；５０；５１）上の対応する対向当接面（３３；４２；４４）に係合する。少なくとも所定の最小の力が使用者によってレバーパッド（２３）に加わった場合、そしてこれが加わった場合にのみ、これら当接面の係合が外れ、レバーが解放し、枢動する。当接面または対向当接面は、横断方向に変形可能は弾性係合要素（３０；４３；４６）上に設けることができ、この係合要素が、張力が作用している対応する面に係合する。あるいは、レバーは、細長いスロットに取り付け、使用者が最小の力を加えたときに、並進し、対応する面の係合を外すようにしてもよい。あるいは、レバーパッドの下に設けた滑動キャッチ（５１）上に対向当接面を設けてもよい。大人の使用者が通常の速度でホウィール装置（１０）を回転すると、最小の力が簡単に作用することになる。【選択図】図１Ａ
2009506291.tif 000002
【特許請求の範囲】
【請求項１】
燃料リザーバをもつライター本体（１）、
バーナーノズル（３）、
上記リザーバから上記バーナーノズルに燃料を放出する弁（２）、
少なくとも一つの当接面（３２；４１；４５）、
上記弁を開くレバー（２０）であって、少なくとも一つの対向当接面（３３；４２；４４）および使用者の指を受け取るパッド（２３）を有するレバー（２０）、および
スパークホウィール（１２）および少なくとも一つのサムホウィール（１３）を有し、このスパークホウィールがフリント（１４）と連動して放出された燃料を点火する回動式ホウィール装置（１０）を有し、
上記当接面および上記対向当接面が通常の状態では相互に係合し、所定の力よりも小さい力が作用しても上記パッドが下がることがないように構成し、そして
使用者が上記パッドに少なくとも上記の所定の力を加えたときに、係合が外れ、パッドが下がるように上記当接面および上記対向当接面を配設した子供に対して安全なロール／プレス式ライターにおいて、
上記ライターが、さらに、使用者が上記パッドから指を外したときには必ず、上記当接面および上記対向当接面を係合させるバイアス手段（２４、３０）を有し、そして少なくとも一つの係合要素（３０；４３；４６）に、上記当接面および上記対向当接面の一方を形成し、そして使用者の指が上記パッドに係合したときに、上記係合要素に張力が作用することを特徴とする子供に対して安全なロール／プレス式ライター。
【請求項２】
上記対向当接面（４２）を上記係合要素（４３）に形成し、この係合要素がレバーの一部を形成する請求項１記載の子供に対して安全なロール／プレス式ライター。
【請求項３】
上記当接面（３２、４５）を上記係合要素（３０、４６）に形成し、そしてこの係合要素をライター本体によって支持した請求項１記載の子供に対して安全なロール／プレス式ライター。
【請求項４】
上記ライター本体が上記ホウィール装置を支持する２つの側部壁要素（７）を有し、上記係合要素（３０）を側部壁要素によって支持した請求項３記載の子供に対して安全なロール／プレス式ライター。
【請求項５】
燃料リザーバをもつライター本体（１）、
バーナーノズル（３）、
上記リザーバから上記バーナーノズルに燃料を放出する弁（２）、
少なくとも一つの当接面（４１；４５）、
上記弁を開くレバー（２０）であって、少なくとも一つの対向当接面（４２；４４）および使用者の指を受け取るパッド（２３）を有するレバー（２０）、および
スパークホウィール（１２）および少なくとも一つのサムホウィール（１３）を有し、このスパークホウィールがフリント（１４）と連動して放出された燃料を点火する回動式ホウィール装置（１０）を有し、
上記当接面および上記対向当接面が通常の状態では相互に係合し、所定の力よりも小さい力が作用しても上記パッドが下がることがないように構成し、そして
使用者が上記パッドに少なくとも上記の所定の力を加えたときに、係合が外れ、パッドが下がるように上記当接面および上記対向当接面を配設した子供対して安全なロール／プレス式ライターにおいて、
上記ライターが、さらに、使用者が上記パッドから指を外したときには必ず、上記当接面および上記対向当接面を係合させるバイアス手段（２４）を有し、そして設定静止位置と動作可能位置との間において並進運動できるように上記レバーを取り付け、上記設定静止位置において、上記当接面を上記対向当接面に係合し、上記パッドが下がることがないようにするとともに、上記レバーが枢動しないように構成し、そして上記動作可能位置において、上記当接面が上記対向当接面から外れ、上記パッドを下げるとともに、上記レバーを枢動させるように構成したことを特徴とする子供に対して安全なロール／プレス式ライター。
【請求項６】
上記レバーが係合要素（４３）を有し、そしてこの係合要素に上記対向当接面（４２）を形成した請求項５記載の子供に対して安全なロール／プレス式ライター。
【請求項７】
上記ライター本体から延長する係合要素（４６）に上記当接面（４５）を形成し、使用者が上記パッドに指を係合したときに、この係合要素に張力が作用している請求項５記載の子供に対して安全なロール／プレス式ライター。
【請求項８】
燃料リザーバをもつライター本体（１）、
バーナーノズル（３）、
上記リザーバから上記バーナーノズルに燃料を放出する弁（２）、
少なくとも一つの当接面（５５）、
上記弁を開くレバー（５０、５１）であって、少なくとも一つの対向当接面（５３）および使用者の指を受け取るパッド（２３）を有するレバー（５０、５１）、および
スパークホウィール（１２）および少なくとも一つのサムホウィール（１３）を有し、このスパークホウィールがフリント（１４）と連動して放出された燃料を点火する回動式ホウィール装置（１０）を有し、
上記当接面および上記対向当接面が通常の状態では相互に係合し、所定の力よりも小さい力が作用しても上記パッドが下がることがないように構成し、そして
使用者が上記パッドに少なくとも上記の所定の力を加えたときに、係合が外れ、パッドが下がるように上記当接面および上記対向当接面を配設した子供対して安全なロール／プレス式ライターにおいて、
上記ライターが、さらに、使用者が上記パッドから指を外したときには必ず、上記当接面および上記対向当接面を係合させるバイアス手段（２４、５１）を有し、そして上記レバーが、上記ライター本体に枢動自在に取り付けられたレバー本体（５０）を有し、かつさらに設置静止位置と動作可能位置との間において移動できるように滑動自在に上記レバー本体に取り付けられたバイアス式レバーキャッチ（５１）からなり、このレバーキャッチに上記対向当接面を形成し、上記設定静止位置において、上記当接面を上記対向当接面に係合し、上記パッドが下がることがないようにするとともに、上記レバーが枢動しないように構成し、そして上記動作可能位置において、上記当接面が上記対向当接面から外れ、上記パッドを下げるとともに、上記レバーを枢動させるように構成したことを特徴とする子供に対して安全なロール／プレス式ライター。
【請求項９】
上記ライター本体に上記当接面（５５）を形成し、そして上記レバーキャッチ（５１）が、上記レバーのパッドと上記燃料リザーバとの間に配設された全体として円弧状の弾性要素からなる請求項８記載の子供に対して安全なロール／プレス式ライター。
【請求項１０】
実質的に添付図面について説明した子供に対して安全なロール／プレス式ライター。
【発明の詳細な説明】
【技術分野】
【０００１】
本発明は、子供に対して安全なロールプレス式ライター機構に関する。
【背景技術】
【０００２】
代表的なロールプレス式ライターは、加圧燃料のリザーバ、リザーバからバーナーノズルに燃料を放出する弁、弁を操作するレバー、およびスパークホウィールおよび一対の指回し式ホウィール（サムホウィール）からなる回動式ホウィール装置からなるライター本体を備えている。フリントをスパークホウィールに押圧するようにライター本体に取り付け、そして通常は金属製のウインドシールドをバーナー周囲に取り付ける。
【０００３】
通常、このようなライターは、シガレット用ライターとして使用されている。名前の由来は、その操作方法にある。ライターを操作するためには、使用者は、まず親指でサムホウィールを素早く回転させることによってホウィール装置を回す。弁とは反対側にあるレバーの端部に操作の最後でホウィール装置から離れるさいに親指を受け取る位置にあるパッドを設ける。このパッドを下げることによって、使用者は弁を開き、燃料をバーナーに放出する。すると、フリントと回転するスパークホウィールとの摩擦によって発生する火花によって燃料が点火する。
【０００４】
事故を未然の防止するために、また国の法律を守るために、このようなライターの子供に対する安全性を確保するために、即ち、五歳未満の子供が操作できないようにするために、いろいろな機構が提案されている。実際は、ライターの子供に対する安全性は、米国消費者製品委員の規則および法令に従って、五歳未満の子供群を対象とした経験的な試験によって制定されている。
【０００５】
子供に対して安全なライターにとって重要なことは、使用者が手を離したときに、ライターが常に自動的に安全な状態に戻っていることである。従来のいくつかのライターの場合、第１の動作ステップで安定な動作状態に操作し、次に第２の点火ステップを行った後、ライターが自動的に安全な状態にリセットされるように設計されている。このようなライターは、動作可能な状態のまま何気なくしばらく放置される可能性があり、その後何らかの子供に対する安全措置が取られていなくとも、発火する恐れがあるため、この重要な基準を満足するものとはいえない。
【０００６】
このようなライターの実例は、通常時レバーが下がることを防止するキャッチを備えたロール／プレス式ライターを記載しているＵＳ６１０２６８９に開示されている。また、ＥＰ０６１１０９６Ａ２、ＵＳ５２７１７３１、ＵＳ６０９５７９５、ＵＳ５３２４１９３およびＵＳ５７０４７７６にはいずれも、レバーまたはこのレバーに取り付けられた係合要素が通常の状態ではライター本体に係合するため、レバーを下げることができないロール／プレス式ライターが開示されている。レバーを解放し、ライターを点火するためには、使用者は最初にキャッチまたはレバーなどの要素を、対応する係合要素によってライター本体に保持される安定な中間位置に押す必要がある。この場合、使用者がホウィール装置を回し、何らかの子供に対する安全措置がない場合にも点火する第２の通常のロール／プレス動作でレバーを押すまで、ライターはこの中間状態のままになっている。
【０００７】
ロール／プレス式ライターを操作するために大切なことは、スパークホウィールが回ると直ちに、そしてフリントとの接触回動によって発生した火花が消える前に、レバーを下げてガスをバーナーに放出することである。このためには、このライターの使用者にとっては普通に行われている素早いロール／プレス操作をすればよいが、実際上は、ロック機構を最初に安定な中間位置に設定しなければ、ホウィール装置の回動後内向き力および下向き力の両者をレバーパッドに一回の操作で作用させることによって上記の最後のライターを点火することは難しいか不可能である。従って、安定な中間位置は、このようなライターの操作にとって本質的に重要な条件であるため、この最後に説明したクラスのロック機構は、現在の子供に対して安全なライターに使用するには不向きであるといえる。
【０００８】
自動リセットの条件に加えて、子供にとって安全なライターの場合、子供による操作のしにくさを高度に確保した状態で、大人の使用者が、過度な力もいらず、また不都合も被らずに、簡単に操作できることが重要である。使い捨てロール／プレス式ライターが多数、極めて低い価格で市販されているので、材料コスト、組み立てコストおよび製作コストを最小に抑えることも大切な条件である。
【０００９】
いずれも本出願人の出願であるＵＳ５９７１７４８およびＷＯ０１／３８７９５Ａ１には、レバーが下がることを防止する機構を備えているが、ホウィール装置を機構に係合し、これを回動させるさいに動作位置に移動させることによって機構の安定な中間位置の必要ないロール／プレス式ライターが開示されている。使用者がホウィール装置に十分な力を加えると、レバーが解放し、使用者の指によって直ちにこれを下げることができる。
【００１０】
使用者が解放すると必ず、これら最後に述べたライターの場合、安全な状態に自動的に戻るが、問題もある。即ち、子供の安全を確保する機構がホウィール装置に力を加えることによってのみ解放されるため、子供が、ナール加工サムホウィールを床にそって転がすことによって安全確保機構が解放する恐れを防止することはできない。さらに、使用時、ホウィール装置の円周が安全確保機構に対して繰り返し高速回動する。この結果発生する磨耗によって、安全確保機構を解放するために必要な力が大きくなり、大人の使用者でもライターが扱いにくくなる。
【００１１】
従来の多くのライターは、通常状態ではレバーまたはホウィール装置を制動し、かつライターを点火する前に、制動のない位置に動かす必要のある安全キャッチを利用している。このようなキャッチは小さくなければならないことが多く、扱いにくく、ライターを大人でも使用しにくくするものである。また、ライター本体に手を加える部分が多くなり、必要な改造範囲が広くなり、また改造コストもかさむことになる。さらに、ライターにもよるが、安全キャッチの使い方が目ざとい子ならばすぐに理解でき、大人の使用者の操作を真似ることによってライターを使えるようになる。
【００１２】
以上の全ての理由から、使用者が直接操作できる安全キャッチを別にライターに設けるのではなく、固有な性質として小さな子供が操作できない動作特性をライターに与えることが好ましい。
【００１３】
この方法は、ＪＰ２００２−０４８３４１Ａに記載されている。即ち、この公報には、動作レバーを下げるのに必要な力を大きく設定するために、このレバーの押し下げ可能パッドの下にリーフスプリングを設けることが開示されている。類似の機構が他のタイプのライターでも知られている。また、例えば、ＵＳ５９７１７５１には、動作キャップを下げるのに必要な力を大きく設定するために、この動作キャップの下に弾性圧縮式圧力吸収素子を有するピエゾ電気のライターが開示されている。さらに、ＵＳ２４９８３７７には、押し下げ式動作キャップによってスパークホウィールを回動するギヤ式ライターであって、ライター本体に係合するリップをもつラッチ素子を設けたバネ式ステムにこのキャップを設けたライターが開示されている。いずれも、使用者が十分な圧力を動作キャップに加え、ライター本体からリップを外し、この動作キャップを素早く下げ、点火の信頼性を確保する必要がある。
【００１４】
これらのライターの場合、いずれも使用者が初期に大きな圧力を加え、点火を確保することが必要である。また、ＪＰ２００２−０４８３４１Ａのロール／プレス式ライターの場合には、使用者がこの圧力を維持し、ガスの流量、従って炎を維持する必要がある。ところが、現実には、使用者は、このようなライターを点火し、炎を維持するために必要な付加的な圧力を加えることに不便を感じているか、できないことと感じている。
【００１５】
また、ＵＳ５９４７７１５には、レバーの押し下げ式パッドの下側から突出部が下方に延長するロール／プレス式ライターが開示されている。この突出部の傾斜下面が、レバー下のキャビティー内に設けられる弾性バイアス式レグに当接する。このパッドに大人の使用者が十分な圧力を加えると、突出部の傾斜下面によってレグが側方に変位し、レバーが下がる。あるいは、レグに使用者が操作できる安全キャッチを利用してもよく、この場合には、別なばね手段を使用することができる。
【００１６】
このライターには、対応する当接面の係合を外すのに十分な初期力を使用者が加えた後は、レバーをその下がった位置に下げるのに必要な力が少なくて済む長所がある。ところが、特に、付随する構成成分をレバーの組み立て前にキャビティーに挿入する必要があり、この作業が組み立て作業をかなり複雑にするため、これら各構成成分の製作コスト、組み立てコストがかなり高くなる。また、子供に対する安全機構は、レバーの下に比較的大きなキャビティーを必要とするため、燃料リザーバの容積が小さくなるだけでなく、ライター本体のみならずレバーの上部部分を製作するためにかなりの改造が必要になる。
【００１７】
ＵＳ６０９９２９７には、弾性レグがレバーの下げることができるパッドの下側からライター本体のキャビティ−内に延長する同様な構成をもつロール/プレス式ライターが開示されている。ライター本体の固定されたブロックの湾曲上面に、通常、レグの下端が係合する。大人の使用者がこのパッドに十分な力を加えると、レグの下端が一方の側に変位し、ブロックから外れるため、レバーが下がり、弁が開く。必然的に、弾性レグがかなりの長さと厚みがもつため、ＵＳ５９４７７１５のライターの場合と同様に、ライターだけでなくレバーも実質的に改造する必要がある。
【００１８】
最後に言及したライターはいずれも、ライターの子供に対する安全性は、各動作後に、弾性レグが安全位置に戻る戻り特性に大きく依存するものである。いずれの場合も、小さな子供が壊すほどでなくても加える恐れがある力に十分耐えるだけの剛性をレグはもっていなければならない。同時に、大人の使用者によって所定量の力が加わったときに、横にそれ、レバーを下げるのに十分な弾性をもっていなければならない。
【００１９】
現実には、これらの特性のバランスを取り、製作時にバラツキのない最小の動作力を実現することは困難である。加えて、ライターの使用期間を通してレグが繰り返し曲げられるため永久的な塑性変形が発生し、この変形は小さいにもかかわらず、ライターの子供に対する安全性がその設計パラメータを超えて変わるのには十分である。
【００２０】
別な対応策がＷＯ９９／４６５３９に記載されている。即ち、この公報には、弾性バイアス作用式点火ボタンをレバーの押し下げ式パッドの下に設けたロール／プレス式ライターが開示されている。このボタンは、レバーに係合するのではなく、レバーに形成したホールを突きぬけ、使用者の親指に直接係合する。
【００２１】
コイルスプリングが点火抵抗ボタンにばね作用を与え、これが、ライターの使用期間を通じて一定な状態を保つと考えられる、使用者の親指に抵抗を与える。ところが、炎を維持するためには、ライターを一旦点火した後は、大人の使用者が、付随的なコイルスプリングを圧縮状態におかなければならない欠点がある。ＪＰ２００２−０４８３４１Ａのライターに関して説明したように、これは、多くの使用者にとって困難な作業である。
【特許文献１】ＵＳ６１０２６８９
【特許文献２】ＥＰ０６１１０９６Ａ２
【特許文献３】ＵＳ５２７１７３１
【特許文献４】ＵＳ６０９５７９５
【特許文献５】ＵＳ５３２４１９３
【特許文献６】ＵＳ５７０４７７６
【特許文献７】ＵＳ５９７１７４８
【特許文献８】ＷＯ０１／３８７９５Ａ１
【特許文献９】ＪＰ２００２−０４８３４１Ａ
【特許文献１０】ＵＳ２４９８３７７
【特許文献１１】ＵＳ５９４７７１５
【特許文献１２】ＷＯ９９／４６５３９
【発明の開示】
【発明が解決しようとする課題】
【００２２】
本発明の目的は、ロール／プレス式ライターの対象とする子供に対して有効な安全機構であって、使用者がライターから手を離したときには必ず安全状態に自動的に戻り、ライターの使用期間を通じて動作の信頼性が高く、大人の使用者が操作しやすく、実質的なコストアップを引き起こさずに製作でき、そしてライターの性能を犠牲にしない子供に対する安全機構を提供することである。
【課題を解決するための手段】
【００２３】
即ち、本発明は、特許請求の範囲に記載した子供に対して安全ロール／プレス式ライターを提供するものである。
【発明の効果】
【００２４】
本発明の各実施態様では、使用者の指によって、当接面および対向当接面との係合を外すのに十分な、少なくとも最小の所定の力をレバーのパッドに加えるだけでライターを操作することができる。
【００２５】
これで、少なくとも使用者によって所定の力がレバーのパッドに作用したときに、そして作用したときにのみ、パッドが下がり、弁が開く。本発明のライターの場合、使用者が直接操作できる安全キャッチを必要としないため、機敏な子供が真似によってライターの操作を知る危険がなくなる。例示を目的とするもので、必ずしも必要ないが、ライターの動作後、レバーパッドが使用者の手を離れたときには必ず、バイアス作用手段が当接面および対向当接面に再係合し、ライターが安全な状態に自動的に戻る。この状態では、所定の力よりも小さい力が作用してもパッドは下がることはない。
【００２６】
所定の動作力については、試作品製作時に、五歳未満の子供が加えることができる力以上に設定されるように、上記のような経験的な試験を通じて特にバイアス作用力および当接面および対向当接面の特徴を調節することによって決定する。この所定の力は、従来の（子供に対して安全な）ロール／プレス式ライターのレバーパッドを下げるために必要な力よりも大きいが、驚くべきことに、本発明の各実施態様のライターの場合には、大人の使用者が簡単かつ不便を被らずに使用できることが判明した。
【００２７】
この一つの理由は、一旦所定の力を加えて当接面と対向当接面との係合を外すと、レバーパッドをその下がった位置に維持するための力が少なくて済む事実にある。
【００２８】
より具体的にいえば、従来の他の形式のライターとは異なるロール／プレス式ライターの場合、小さな子供がライターを点火しようとするさいの行為が、子供がレバーパッドに加えることができる力の量だけではなく、子供がホウィール装置を回転させることができる速度においても大人のそれとは異なり、その分信頼性が高くなる。
【００２９】
また、例えば、大人の使用者は、ライターで遊ぶ小さな子供よりもかなり高速でホウィール装置を回動でき、従って大人の指がサムホウィールを離れ、レバーのパッドに当たるさいの指の動きがかなり高速になる。そして、大人の使用者の動く指の運動エネルギーは、必要な所定の力を与えて当接面と対向当接面との係合を外すために十分であり、それ以上の力を出す必要がない。一旦レバーを解放し、これを下げると、運動エネルギーは利用できなくなるが、レバーを下がった位置に維持するために必要な小さな力が、従来の（子供に対して安全な）ロール／プレス式ライターが必要とする力よりも少なくて済む。
【００３０】
本発明の各実施態様の場合、ライターの子どもに対する安全性を確保する機構は、上記の各従来ライターと比較してサイズが小さくまた材料コストも低い。そしてさらに、レバーパッドの下に設けるキャビティーを深くする必要もなく、従って、燃料リザーバのサイズも小さくできる。また、改造もほとんど必要ない。本発明の新規なライターの場合、従来のライターの構成成分に比較的小さな改造を加えるだけで製作できるため、組み立てが簡単であり、既存の自動組み立てラインにコストのかかる大きな改造を加えなくてもよい。さらに、以下に説明するように、本発明のライターは使用期間を通じて高い信頼性と有効性を確保できるものである。
【００３１】
本発明の特徴および作用効果については、以下の説明的な実施態様から明らかになるはずである。なお、これら実施態様は例示のみを目的とするもので、本発明を制限するものではない、以下、添付図面について本発明を説明する。
なお、図示を明瞭にするため、サムホウィールのうち一つにおける幾つかの指部分を含むライターの各構成部品については一部を切り欠いて示してある。また、各図において、同一符号は同一構成部品を示す。
【発明を実施するための最良の形態】
【００３２】
図１Ａおよび図１Ｂについて説明すると、本発明の第１のライターは、加圧燃料のリザーバを有するプラスチック製のライター本体１からなる。弁２およびバーナーノズル３を有する弁装置をライター本体の上端４に取り付け、ライターを操作したさいに炎が出る開口６を上端に形成したプレス成型したスチール製のウインドシールド５を弁装置周囲に形成する。ライター本体は、２つの上向きに延長する側部壁要素７を有する。なお、これら要素は一緒にウインドシールドを支持するが、図には一つのみを示す。
【００３３】
回動式ホウィール装置１０の一体的軸１１の各端部を、壁要素７それぞれの固定位置においてベアリング８に取り付ける。ホウィール装置のスパークホウィール１２を２つのサムホウィール１３の間に設ける。なお、例示のみであるが、これらサムホウィールのうち一つを設けることが可能である。図１に示していないが、他の図には示してあるフリント１４をライター本体のキャビティーに滑動自在に設けるとともに、フリントスプリングによってスパークホウィール１２に係合する。従って、ホウィール装置が、フリントに係合するが、（その軸ベアリングから離れているため）ライターの他の成分に接触することはない。
【００３４】
プラスチック製レバー２０が、壁要素７それぞれの円形ベアリング９に各端部が収容される一体的軸２１を中心にして回動するように、このレバー２０を側部壁要素７の間においてライター本体１に取り付ける。レバーの各端部は、弁２とバーナーノズル３との間において弁装置を取り囲むフォーク式アーム２２に位置する。アーム２２が上昇すると、バーナーノズル周囲のフランジに上向きに係合するため、弁が上がり、リザーバから気体燃料をバーナーノズルに放出する。
【００３５】
レバー２０の反対側端部に、ホウィール装置１０の回動後使用者の指を受け取る位置にくる一体的パッド２３を設ける。ライター本体１とパッドの向きを下にした下面２５との間に配設したコイルスプリング２４によってレバーパッド２３をバイアス作用によって静止位置（図１Ａ）に設定する。
【００３６】
ライターを点けるさいには、使用者は指、例えば親指によってサムホウィール１３をすばやく回し、フリント１４に摩擦接触したさいに束になった火花を発生するのに十分な高速でスパークホウィール１２の凹凸表面を加速する。点火するためには、少なくとも最小の火花密度が必要であり、従って、ホウィール装置を少なくとも最低の回転速度で回転させる必要がある。使用者の指が動作の最後でサムホウィールから離れると、指が、下向きの力Ｆが与えられているレバーのパッド２３に直ちに当たる。前述したように、親指の動作速度が速ければ速いほど、ホウィールの回動速度が速くなり、また指の動作の最後で運動エネルギーが消費されるさい指によってパッド２３にかかる力Ｆが大きくなる。
【００３７】
プラスチック材料からなるライター本体の壁要素７に対して２つのレバー係合要素３０を一体成型し、ライターの上端４からレバー２０まで下向きに延長する薄く細長いアームを形成する。各レバー係合要素の下端が上向きの当接面３２とのフック３１を形成する。レバーパッド２３の下面２５に下向きの対向当接面３３を形成する。レバーのパッド２３に何らかの力が作用すると、直ちにレバー係合要素に張力が作用するため、パッドが下がることはない。
【００３８】
各レバー係合要素３０の場合、横断面積が比較的小さく、そのぶん材料コストの面で経済的であるが、親指によってレバーパッド２３に作用する力Ｆの全体的な方向の張力が強い。力Ｆの方向を横断する方向では、図１Ｂに示すように、各レバー係合要素は横に変形できるが、その変形は、一旦解放されると、元の位置に戻る。また、使用者の指がレバーパッド２３から離れると、コイルスプリング２４がレバーを押し、図１Ａに示す設定位置に戻る。
【００３９】
コイルスプリング２４と、レバー係合要素３０の固有な弾性が作用し合い、レバー２０が設定位置に戻るさいに、図１Ａに示すように、当接面３２と対向当接面３３を係合させるバイアス作用手段を形成する。レバー係合要素の形状、および（例えば、傾斜面、湾曲面、凹凸面やその他適当な面として構成することができる）当接面および対向当接面の形状については、レバーパッド２３に作用する下向き力Ｆ部分の向きが横断方向になり、レバー係合要素が図１Ｂに示す非係合位置にくるように選択すればよい。
【００４０】
また、レバー係合要素３０の特性、および当接面３２および対向当接面３３の特性については、当接面および対向当接面との係合を外し、レバーを解放するために、レバーパッド２３に加える必要がある最小動作力Ｆを予め決定できるように選択する。レバーパッド２３に所定の最小力よりも小さい力が作用した場合には、当接面と対向当接面とが係合状態を維持するため、レバーパッド２３が下降動作することがなく、従ってレバー２０が回転せず、燃料が放出されることはない。
【００４１】
子供がライターをいじった場合、例え大人の使用者の仕種を真似したとしても、レバーを大きく動かすことは不可能である。というのは、子供では、例えば、十分な運動エネルギーを指にかけてレバーパッド２３を押し下げるために必要な速度でホウィール装置１０を回動させることは不可能だからである。素早く動く指の運動エネルギーの助けがなければ、レバーパッド２３の押し下げに対する、子供にはあまりにも大きすぎるかなり増加した抵抗に使用者は気づくことになる。このように、本発明のライターは、子供に対する安全性が大きく、その一方で大人の使用者の普通の使いかたで簡単に操作することができるものである。
【００４２】
レバー係合要素が、張力が作用しているレバーに係合するため、製造には比較的少量の材料ですむ。レバーの改造がほとんど必要なく、装置改造のコストが最小ですむ。また、レバー係合要素をライター本体の壁７と一体成型できるため、余計な組み立て工程も必要ない。従って、試作品コストも低く、ライター製作コストも低い。
【００４３】
さらに、引張性のあるレバー係合要素が比較的細長く、従って横断方向に比較的可撓性を示すため、動作位置での応力が最小になる。このため、ライターの使用期間を通じて、レバーパッドを解放した場合には常に信頼性よくその設定静止位置に戻る。このように、本発明のライターは使用期間を通じて信頼性が高く、また常に子供にとって安全である。
【００４４】
ライターを使うためには、大人の使用者が通常の仕方でホウィール装置１０を回動し、動作の最後で親指をレバーパッド２３に当てる。使用者の親指がパッド２３に係合すると、直ちに係合要素３０に張力が作用する。上述したように、大人の親指の素早い動作によって十分な運動エネルギーが与えられるため、少なくとも最小の所定力Ｆがレバーパッドに加わる。すると、当接面と対向当接面が離れ、レバーパッドが解放し、これが、図１Ｂに示すように、使用者の指によって押し下げられる。この結果、レバー２０がその軸２１を中心にして回動し、フォーク式アーム２２がバーナーノズル３を押し上げ、弁２が開き、燃料がリザーバから放出される。
【００４５】
図示のように、ホウィール装置の軸ベアリング８に隣接する側部壁要素７によって各レバー要素を支持するのが好都合であるが、別な実施態様では、レバー係合要素はライター本体上の任意の場所に配設することができる。場合によっては、ウインドシールド上に配設することも可能である。いずれの場合にも、各レバー要素を上向きあるいは下向きに延長して、フォーク式アーム２２かレバー２０のパッド２３端部にそれぞれ係合することができる。レバー係合要素数を一つにしてもよく、あるいは２つ以上にしてもよい。レバー係合要素の形状については、図示の形状から異なっていてもよく、例えば、ヒンジ部分を形成する一つかそれ以上のコンボルーションまたは凹部をもつ形状でもよい。コイルスプリング２４は信頼性がよく、耐久性もあるが、場合によっては他のバイアス作用手段を使用してもよく、別なバイアス作用手段を使用して、レバー係合要素３０を設定静止位置に戻すように構成することもできる。
【００４６】
レバー係合要素を囲むようにウインドシールド５を配設し、使用者が触っていたずらできないように構成して、子供に対する安全性を損なわないようにするのが望ましい。図示の例では、ライターの使用時に、各レバー係合要素のフック３１をバーナーノズル３に向けて移動できるように構成している。従って、ウインドシールドの大きさを標準的な大きさにでき、改造せずに係合要素を囲むことができる。なお、別な実施態様では、レバー係合要素を異なる方向に動かすことができるように構成してもよい。
【００４７】
図２Ａおよび図２Ｂについて、本発明ライターの第２実施態様を説明する。２つのレバー係合要素３０については、第１のライターと同様に構成するが、本実施例では、壁要素７の一体的な部分としてではなく、別な構成部材とする。即ち、各レバー係合要素のキー部分３４を壁要素７の対応するソケット３５に挿入するように構成する。従って、ライター本体およびレバー係合要素を異なるプラスチック材料から成型することができる。例えば、レバー係合要素を比較的弾性のあるプラスチック材料から形成し、ライター本体を比較的弾性のないプラスチック材料から形成することができる。あるいは、レバー係合要素を金属から形成してもよく、別な実施態様では、レバー係合要素に別なスプリング手段を設けてもよい。
【００４８】
最小動作力については、係合をとくために必要な横方向力を増強する、当接面および対向当接面上のミクロな、またはマクロな連動面を設けることによって大きくすることができる。
【００４９】
図３Ａ、３Ｂおよび３Ｃに示す本発明の第３のライターは、第１のライターおよび第２のライターと同様に、ライター本体１、弁２を兼用するバーナーノズル３装置、ホウィール装置１０、およびプラスチックレバー２０からなり、このレバー２０については、一体的軸２１に回動自在に取り付けられ、ヘリカルスプリング２４によって設定静止位置（図３Ａ）にバイアス作用によって設定されるパッド２３を有する。
【００５０】
第１のライターおよび第２のライターの場合と同様に、ライター本体の固定位置にホウィール装置１０を回動自在に取り付け、（そのベアリングと離れた位置で）これをフリントのみに摩擦接触させる。第１のライターおよび第２のライターの場合と異なり、壁要素７内の大きな、スロット状または細長い形状のベアリングホール４０にレバー軸２１を支持し、動作力Ｆの方向、従って使用者による押し下げ時のパッド２３の運動方向に対して横断方向にある方向Ｔにおいて、軸２１およびレバー全体が自由に並進運動する。
【００５１】
フリント１４に隣接するライター本体に上向き当接面４１を形成し、レバー２０と一体化し、かつ上向きに、即ちライターの上端４に向けて延長するフック状係合要素４３上に下向き対向当接面４２を形成する。
【００５２】
このライターの場合、使用者の指がレバーパッド２３から離れたさいには常に、レバーが並進および回転して図３Ａに示す安全な設置静止位置にくるように、コイルスプリング２４を設ける。この設定静止位置では、当接面および対向当接面が係合するため、所定の力Ｆ以下の力では、レバーパッド２３が下がることはない。
【００５３】
使用者によってレバーパッドに加えられた動作力Ｆの一部によってレバー２０が方向Ｔにおいて第２の動作可能位置（図３Ｂ）に向けて並進運動するように当接面４１および対向当接面４２を形成する。また、所定の最小大きさ未満の力Ｆが作用しても、レバー２０が動作可能位置まで十分に移動しないように、換言すれば当接面および対向当接面が係合状態を維持し、パッド２３が下がり、またレバーがその軸２１を中心にして枢動することを防止するように、対応する面を設定する。そして力Ｆの作用がなくなると、直ちにバイアス作用手段２４によってレバーが安全な位置に戻るように構成する。
【００５４】
大人の使用者によって所定の力Ｆがレバーパッド２３に加わった場合には、（また加わった場合にのみ）、レバーが方向Ｔに並進し、瞬間的に動作可能位置（図３Ｂ）を通り、次に直ちに使用者の指の連続的な下向き圧力によって回動し、ライターが作動する。この動作位置では、対向当接面４２が当接面４１から係合が外れ、レバーが、その軸２１を中心にして自由に回動する。フォーク式アーム２２の細長いスロットによってレバーの回動がバーナーノズル３に伝わる。そして直ちに、使用者の指によってレバーパッド２３が図３Ｃに示す第３の動作位置まで下がり、フォーク式アーム２２を持ち上げ、弁が開き、燃料がリザーバから放出する。
【００５５】
別な実施態様では、別なスプリングを追加使用して、バイアス作用によってレバーをバーナーノズルの方に向け、最小動作力を大きくする。
【００５６】
図４Ａ、４Ｂおよび４Ｃに、本発明の第４のライターを示す。このライターは、当接面および対向当接面を除いて、全体として第３のライターと同様に構成する。このライターの場合、レバーのフォーク式アーム２２に上向き対向当接面４４を形成し、そしてバーナーノズル３に隣接してライター本体の部分を形成する上方に延長する（即ち、ライターの上端４に向かって延長する）フック状のレバー係合要素４６に下向き当接面４５を形成する。あるいは、係合要素４６については、ライター本体に取り付ける別要素としてもよい。
【００５７】
第３のライターと同様に、方向Ｔに並進できるように大きな、あるいは細長いベアリング４０内にレバー２０を取り付けるとともに、スプリング２４によって安全位置（図４Ａ）にバイアス作用により設定する。大人の使用者がレバーのパッド２３に最小の所定力Ｆを加えると、当接面および対向当接面の形状構成により、レバーが、方向Ｔに並進し、対向当接面４４が当接面４５から係合が外れ、レバーがその軸２１を中心にして自由に回動できる第２の動作可能位置（図４Ｂ）に移動する。すると直ちに、レバーパッドが使用者の指によって、図４Ｃに示されるように、第３の動作位置まで下がる。
【００５８】
第３のライターについて説明したように、最小の所定動作力未満の力Ｆが作用しても、レバー２０が動作可能位置に十分に並進することがなく、従って当接面および対向当接面が係合状態を維持し、パッド２３が下がることがないように、当接面および対向当接面を設ける。
【００５９】
使用者がパッド２３を下げたときに、張力の作用している当接面４１および対向当接面４４にそれぞれ係合する引張性の係合要素４３、４６に、第３のライターの場合には、対向当接面４２を、そして第４のライターの場合には、当接面４５を形成する。いずれの実施態様の場合も、張力を加えた要素がかなりの剛性を示すため、対応する面の係合が外れる前に、レバーを十分並進させる必要がある。
【００６０】
あるいは、図示のように並進できるようにレバー２０を取り付けてもよく、そして引張性のある係合要素を使用せずに、当接面および対向当接面を圧縮状態で係合してもよい。この場合、対向当接面をレバーのパッドの下に設けるとともに、当接面をライター本体の対応する位置に設けるのが好都合である。あるいは、例えば、レバー軸２１のバーナー側のレバーの上向き面に対向当接面を設けてもよく、この場合には、当接面をライター本体の対応する位置に設定する。レバーが動作可能位置まで並進すると、当接面と対向当接面との係合が外れ、相互にスリップするため、上記のようにレバーが自由に回動する。
【００６１】
第３のライターも、また第４のライターの場合も、構成が経済的な上にきわめてコンパクトであるため、製造装置の変更、改造が最小で済み、また組み立てに余計な工程も必要ない。さらに、耐久性のあるコイルスプリング２４がライターを安全な状態に戻すバイアス作用手段になるため、そしてライターの動作後パッド２３に加わる力Ｆによって当接面および対向当接面や、（使用する場合には）係合要素に応力が作用しないため、安全にとって重要な構成成分の早すぎる塑性変形がなく、ライターの使用期間時、ライターが最小の動作力で信頼性を確保できる。
【００６２】
子供への安全性を確保する構成成分についても、使用者が手を触れることができないようにするのが望ましく、ウインドシールド内部やバーナーまたはフリントに隣接する各位置、あるいはレバーパッド２３の下の各位置に配設すればよく、従って、子供によるライターへの安全性を脅かすおそれのあるいたずらを防止できる。
【００６３】
また、さらに別な実施態様の場合、引張性のある係合要素を弾性要素として構成することができ、またレバーについては、図１および図２に示すようなベアリングホール８などの通常のベアリングに取り付けることができるため、レバーを自由に並進させない状態でこれを自由に回動させることができる。この場合、係合要素が第１のライターおよび第２のライターと同じように機能し、加えられた力Ｆの方向に対して横断方向に偏向するため、最小の動作力がパッド２３に作用したときに、レバーを解放し、これを回動できる。
【００６４】
これは、例えば、第４のライターの係合要素４６を比較的細い弾性要素として構成すれば実現できる。この場合、比較的細い弾性要素は、当接面および対向当接面の構成によって押圧され、所定の力Ｆがパッド２３に作用したときにこれが曲がってレバー２０から離れるため、レバーが解放し、回動する。使用者がレバーパッドを解放すると、スプリング２４によって設定静止位置にフォーク式アーム２２が戻り、図４Ａに示すその設定静止位置に弾性により戻るまで、係合要素４６がフォーク式アーム２２の端面にそって滑動する。これにより当接面および対向当接面が再び係合する。
【００６５】
あるいは、例えば、係合要素を壁要素７の一部として構成することができる。この場合には、レバーの隣接する上向き面に対向当接面を形成する。例えば、各係合要素を、ライターの長手軸線に平行な壁要素に形成した２つのスリットによって壁要素から側部において分離構成し、また一つの横断スリットによって上面において分離構成した、各一つの各壁要素７の狭く細い部分で構成するため、下部が壁要素に取り付けられ、ライターの上端４に向かって上向きに延長する弾性舌部が形成される。各舌部の上端に内向きに延長するレッジを形成するとともに、このレッジの下向き下面に対向当接面を形成する。従って、パッド２３が下がったときに、フォーク式アーム２２の上面に係合する。ライターを動作させると、舌部の上端がわずかに外側に移動するが、これは、ウインドシールド５の側壁と壁要素７との間のクリアランスによって吸収される。
【００６６】
さらに別な実施態様の場合、相互に張力のかかった状態で係合する別な係合要素上に、当接面および対向当接面の両者を形成することができる。上述したように、横断方向に各係合要素も弾性変形が可能である。この場合、各係合要素の最大側方偏向は、一つの弾性係合要素を使用した場合に必要な偏向の半分になる。
【００６７】
さらに別な実施態様の場合、当接面は、ライター本体上ではなく、ウインドシールドなどのライターの他の構成成分に形成することができる。
【００６８】
図５Ａ、図５Ｂおよび図５Ｃについて説明すると、第５のライターは、前記の各ライターと同様に、ライター本体１からなり、このライター本体は、燃料リザーバ、バーナーノズルを兼用する弁２、上述したようなホウィール装置１０、およびプラスチックレバーからなる。
【００６９】
レバーは、一端に一体的なパッド２３をもつレバー本体５０、およびパッド２３の下向き下面（即ち、ライターの上端４から離れている面）と燃料リザーバとの間においてレバー本体に滑動自在に取り付けられた弾性バイアス作用式のレバーキャッチ５１からなる。これらの図では、レバーキャッチ５１はライターの所定位置に設定され、かつ展開図では、それぞれ設置静止位置（図５Ａ）および動作位置（図５Ｃ）においてライターの横に示されている。
【００７０】
レバー本体５０は、ライター本体の壁要素７内の円形ベアリングホール９内において一体的軸２１上に回動自在に取り付けられ、そして弁装置に係合するフォーク式アーム２２内のパッド２３に対して反対側にある端部まで延長する。レバーパッド２３の下に配設したコイルスプリング２４によって、使用者がパッド２３から指を離したときに必ず、パッド２３およびレバーキャッチ５１を上向きに押圧し、図５Ａに示す設置静止位置に戻す。
【００７１】
レバーキャッチ５１は、この下面に上向きに係合するスプリング２４によってパッド２３の下にある所定位置に保持することができる。
【００７２】
あるいは、レバーキャッチの中心開口を介してスプリング２４をパッド２３の下面に直接係合してもよく、パッド２３の下面に係合する別な案内手段によって保持するようにすると、レバー本体５０とライター本体１を組み立てる前に、レバー本体５０とレバーキャッチを簡単に組み立てることができる。
【００７３】
レバーキャッチ５１については、全体として平坦な円弧状弾性要素などのプラスチック材料から形成し、この要素は、２つの下向き対向当接面５３、およびパッド２３の下向き下面に滑動自在に係合する全体として平坦な上向き上面５２を有する。
【００７４】
２つの対応する上向き当接面５５をライター本体１に形成すると、図示のように、パッド２３の下に内部ショルダーが形成する。レバーキャッチ５１が設置静止位置に戻ると（図５Ａ）、その端部５４が、使用者によってレバーパッド２３に作用する動作力Ｆの方向に対して横断方向になる方向Ｓに跳びだす。この位置で、対向当接面５３が当接面５５に係合するため、パッド２３が下がることはなく、従って、所定の力Ｆ未満の力が作用しても、レバー本体５０が枢動することはない。このように、スプリング２４および弾性レバーキャッチ５１がバイアス作用手段を構成し、これらバイアス作用手段が協力して、使用者が指をパッド２３から離したときには必ず、当接面５５および対向当接面５３を押圧し、これらが係合することになる。
【００７５】
当接面５５および対向当接面５３の形状については、例えば、適当な斜面またはランプを形成するか、あるいは例えば大きさおよび表面仕上げ加工によって構成しているため、使用者によってレバーパッド２３に作用する動作力Ｆが、矢印Ｓとは反対方向の横断方向にレバーキャッチ５１を圧縮する。また、当接面および対向当接面の特性については、当接面の係合を外し、レバーパッド２３を解放し、これを下向きに移動するために、使用者によってパッド２３に作用させる必要がある最小動作力Ｆを予め決定するように選択する。
【００７６】
このように、少なくとも最小所定力Ｆが使用者によって作用した場合に、（そしてその場合にのみ）、パッドが解放され、下がることになる。従って、例えば、子供が最小の所定力より小さい力を加えたとしても、レバーキャッチ５１が完全に圧縮されることはなく、当接面および対向当接面が係合状態を維持し、パッド２３が下がることはない。この状態では、上述の第１、第２、第３および第４のライターと同様に、子供は、レバーを下げることはできない。
【００７７】
ライターを動作させるために、普通のライターの場合と同様に、大人の使用者がホウィール装置１０を操作し、この操作の最後で親指がレバーパッド２３に当たる。大人の使用者の場合、回動速度が非常に大きく、従って、対向当接面５３と当接面５５との係合が完全に外れ、かつレバーが解放され、軸２１を中心にして回動する第２の動作位置（図５Ｂ）にレバーを指の運動エネルギーによって十分にレバーキャッチ５１を圧縮できる。使用者の指が動作を続けるため、直ちに、図５Ｃに示す第３の動作位置にレバーパッド２３が下がり、フォーク式アーム２２を持ち上げ、従って弁２が開き、燃料がリザーバから放出される。
【００７８】
第１〜第４の実施態様の場合と同様に、第５のライターも構成がコンパクトであり、レバーパッド２３の下に深いキャビティーを設ける必要がなく、またライター本体およびレバーを改造する必要性も最小で済む。さらに、ライターを一旦動作させると、レバーパッド２３が解放するまで、図５Ｃに示すように、レバーパッド２３の下でレバーキャッチ５１が圧縮状態を維持する。この圧縮状態では、使用者によってレバーパッドに加えられる下向きの圧力がレバーキャッチ５１に作用せず、単にライター本体１の壁部によって保持されているため、反復動作によってレバーキャッチが歪むことはない。従って、ライターの使用期間全体を通じて、ライターの弾性および子供に対する安全性が信頼性高く一定に維持されることになる。
【００７９】
別な実施態様では、レバーキャッチを図示例とは異なる形状に構成することができ、またレバーキャッチに、ライター本体に形成された当接面に係合する設置静止位置にレバーキャッチをバイアス作用によって保持する別なバイアス作用手段を設けることも可能である。
【００８０】
例えば、レバーキャッチは、レバー本体５０に形成されたガイド内においてパッド２３の下に滑動自在に収容される平坦な堅いプレートを有していてもよい。あるいは、例えば、パッド２３の横断方向ボアに収容されるスプリングバイアス作用式ロッドを有していてもよい。このレバーキャッチの場合は、図示のようにレバー本体５０の軸に対して横断方向ではなく、全体としてレバー本体の軸にそって移動できるようになっている。従って、例えば、プラスチック材料ではなく金属材料で構成することができる。
【００８１】
要約すれば、子供に対して安全なロール／プレス式ライターは、少なくとも一つの当接面を有し、この当接面が、レバー上の対応する対向当接面に係合する。これら当接面は、少なくとも所定の最小の力が使用者によってレバーパッドに作用した場合に、そして作用した場合にのみ、係合が外れ、レバーを解放し、レバーを枢動させるものである。当接面または対向当接面は、張力の作用している対応する面に係合する横断方向に変形する弾性係合要素上に配設することができる。あるいは、レバーを細長いスロットに取り付け、最小の力を使用者が加えた場合に、これが並進し、従って連動する面が外れるように構成してもよい。あるいは、レバーパッドの下に収容した滑動キャッチに対向当接面を配設してもよい。大人の使用者が通常のスピードでホウィール装置を回すだけで、最小の力を簡単に加えることができる。
【００８２】
以上の実施態様は、本発明を限定するものではない。本発明は、特許請求の範囲内で各種の変更などが可能である。
【図面の簡単な説明】
【００８３】
【図１Ａ】安全な設置静止位置にある子供に対して安全なロール／プレス式第１のライターを示す図で、当接面および対向当接面が係合し、所定の力より小さい力が作用してもレバーパッドが下がることのない状態を示す図である。
【図１Ｂ】動作位置にある第１のライターを示す図で、当接面および対向当接面の係合が外れた後、レバーパッドが下がった状態を示す図である。
【図２Ａ】それぞれ設定静止位置（Ａ）および動作可能位置（Ｂ）にある第２のライターを示す図である。
【図２Ｂ】それぞれ設定静止位置（Ａ）および動作可能位置（Ｂ）にある第２のライターを示す図である。
【図３】それぞれ設定静止位置（Ａ）、動作可能位置（Ｂ）および動作位置（Ｃ）にある第３のライター、第４のライターおよび第５のライターを示す図である。
【図４】それぞれ設定静止位置（Ａ）、動作可能位置（Ｂ）および動作位置（Ｃ）にある第３のライター、第４のライターおよび第５のライターを示す図である。
【図５】それぞれ設定静止位置（Ａ）、動作可能位置（Ｂ）および動作位置（Ｃ）にある第３のライター、第４のライターおよび第５のライターを示す図である。
【符号の説明】
【００８４】
１：ライター本体、
２：弁、
３：バーナーノズル、
１０：ホウィール装置、
１２：スパークホウィール、
１３：サムホウィール、
１４：フリント、
２０：レバー、
２３：パッド、
２４、３０：バイアス作用手段、
３０、４３、４６：係合要素、
３３、４２、４４：対向当接面、
４１、４５：当接面。
【図１Ａ】
2009506291.tif 000003
【図１Ｂ】
2009506291.tif 000004
【図２Ａ】
2009506291.tif 000005
【図２Ｂ】
2009506291.tif 000006
【図３Ａ】
2009506291.tif 000007
【図３Ｂ】
2009506291.tif 000008
【図３Ｃ】
2009506291.tif 000009
【図４Ａ】
2009506291.tif 000010
【図４Ｂ】
2009506291.tif 000011
【図４Ｃ】
2009506291.tif 000012
【図５Ａ】
2009506291.tif 000013
【図５Ｂ】
2009506291.tif 000014
【図５Ｃ】
2009506291.tif 000015
【国際調査報告】
2009506291.tif 000016
2009506291.tif 000017
2009506291.tif 000018